(57)【要約】【課題】数少ないチップＬＥＤを用いてデザイン的にも優れた照光を行うことができる照光型の押しボタンスイッチを得る。【解決手段】操作プランジャ３’を押圧操作することによって、ベース部材８’に配設されたスイッチ本体６を作動させる押しボタンスイッチであって、操作プランジャ３’の外端部位に配備した押圧部材としてのキャップ２’の外周を、透明樹脂材からなるレンズ３０の周枠部３０ｄで外囲するとともに、プランジャ内奥の中心近くに位置させて配備した光源５からの光を前記周枠部３０ｄの上端部に導くようにしている。【選択図】        図７
2005011672.tif 000002
【特許請求の範囲】
【請求項１】
操作面を有する押圧部材を押圧操作することによって、該押圧部材に連動する操作プランジャを介してベース部材に配設されたスイッチ本体を作動させる押しボタンスイッチであって、
照光用の光源および該光源からの光を導く導光部材を備え、該導光部材は、前記押圧部材の前記操作面の外周を外囲する周枠部を有するとともに、前記光源からの光を前記周枠部に導くことを特徴とする押しボタンスイッチ。
【請求項２】
前記光源は、前記押圧部材の前記操作面の背面の中央部に対向するように配置され、前記光源と前記背面との間に、前記導光部材が配置されるとともに、該導光部材は、透明な樹脂材料からなるレンズ部材である請求項１記載の押しボタンスイッチ。
【請求項３】
前記導光部材は、前記光源からの光を反射して前記周枠部に導く反射面を備える請求項２記載の押しボタンスイッチ。
【請求項４】
前記導光部材は、該導光部材に形成されたテーパ孔を前記反射面として備え、前記テーパ孔は、前記光源からの光を、前記背面の外周側へ反射する請求項３記載の押しボタンスイッチ。
【請求項５】
前記導光部材は、該導光部材の外周部に形成されたテーパ面を前記反射面として備え、前記テーパ面は、前記テーパ孔で反射されて前記背面の外周側に導かれた光を、前記操作面側に反射する請求項４記載の押しボタンスイッチ。
【請求項６】
前記導光部材は、前記周枠部で囲まれた凹部を有し、前記押圧部材は、前記凹部に装着され、前記押圧部材の前記背面および前記導光部材の前記凹部には、前記装着の際の位置合わせ用マークがそれぞれ形成されている請求項２〜５のいずれかに記載の押しボタンスイッチ。
【請求項７】
前記操作プランジャに、前記導光部材を一体化して前記操作プランジャで前記導光部材を兼用する請求項１〜６のいずれかに記載の押しボタンスイッチ。
【請求項８】
一端側が前記ベース部材に保持されるとともに、他端側が前記操作プランジャに連結された第１のレバーと、一端側が前記ベース部材に保持されるとともに、他端側が前記操作プランジャに連結された第２のレバーとを備え、
前記第１，第２のレバーの中間部を交差状に組み合わせて前記他端側を、前記一端側に対して平行状態で前記操作方向に沿って変位可能とし、一方のレバーには、前記操作プランジャの変位によって弾性変形されるバネ部材を設けた請求項１〜７のいずれかに記載の押しボタンスイッチ。
【請求項９】
前記第１，第２の各レバーは、第１〜第４のアーム部が連続して大略矩形状にそれぞれ形成され、前記一端側が第１のアーム部とされるとともに、前記他端側が、前記第１のアーム部に対向する第３のアーム部とされ、
前記両レバーは、一方のレバーの第３のアーム部が、他方のレバーの第１のアーム部と第３のアーム部との間に位置するように第２，第４のアーム部の中間部で交差状に組み合わされるとともに、復帰バネによって前記押圧操作に抗するように復帰付勢され、
前記操作プランジャは、前記両レバーの前記第３のアーム部に着脱自在に連結されて前記第３のアーム部の昇降によって操作方向に沿って変位し、
前記ベース部材は、組み合わされた前記両レバーで区画される領域内に、前記光源が実装された配線基板を着脱自在に収納する収納部を備える請求項８記載の押しボタンスイッチ。
【請求項１０】
前記配線基板の裏面に、前記スイッチ本体としてのリーフスイッチを実装し、該リーフスイッチの操作片を前記第１または第２のいずれかのレバーの前記第３のアーム部で操作する請求項９記載の押しボタンスイッチ。
【請求項１１】
前記バネ部材は、前記一方のレバーの前記第１のアーム部と他方のレバーの第３のアーム部との間に介装されるとともに、操作プランジャの押圧操作に伴う第３のアーム部の変位によって前記バネ部材の付勢方向が反転する請求項９または１０記載の押しボタンスイッチ。
【発明の詳細な説明】
【０００１】
【発明の属する技術分野】
本発明は、押しボタンスイッチに関し、さらに詳しくは、エレベータの乗り場壁面に取り付けられるエレベータ用の上方向あるいは下方向指示スイッチなどに好適な照光式の押しボタンスイッチに関する。
【０００２】
【従来の技術】
押しボタンスイッチは、一般に、押しボタンの操作面を押圧操作して操作プランジャを押し込み変位させることによって、スイッチ本体を作動させる構造が採用されており、かつ、スイッチ本体が作動されたことを表示するためにＬＥＤなどの光源を用いた照光手段が内蔵されている（例えば特許文献１参照）。
【０００３】
【特許文献１】
特開平１１−３１４８６１号公報（図３、図４）
【０００４】
【発明が解決しようとする課題】
従来の押しボタンスイッチに組み込まれた照光手段としては、押圧部材としての押しボタンの操作面全体を照らすために、多数個のＬＥＤが光源として利用されており、コスト高の一因となるものであった。
【０００５】
また、従来の押しボタンスイッチでは、押しボタンの押圧操作によって押し込み変位されるスイッチ操作用のプランジャを固定のガイド部材によって案内するものである。このため、押しボタンの操作面の端を押圧する、いわゆる隅押し（片押し）がなされても操作プランジャを円滑にスライド変位させるために、ガイド部材で操作プランジャを操作方向に沿って長く案内する必要があり、このためにスイッチ全体が厚くなっていた。
【０００６】
本発明は、このような点に着目してなされたものであって、数少ない光源を用いてデザイン的にも優れた照光を行うことができるようにすることを主たる目的とする。
【０００７】
また、隅押しに対しても適正なスイッチング作動を行わせることができるものでありながらスイッチ全体の薄型化を図ることを他の目的としている。
【０００８】
【課題を解決するための手段】
本発明では、上記目的を達成するために、次のように構成している。
【０００９】
すなわち、本発明の押しボタンスイッチは、操作面を有する押圧部材を押圧操作することによって、該押圧部材に連動する操作プランジャを介してベース部材に配設されたスイッチ本体を作動させる押しボタンスイッチであって、照光用の光源および該光源からの光を導く導光部材を備え、該導光部材は、前記押圧部材の前記操作面の外周を外囲する周枠部を有するとともに、前記光源からの光を前記周枠部に導くものである。
【００１０】
本発明によると、光源からの光を、押圧部材の操作面を外囲する周枠部に導いて該周枠部を光らせるので、操作面の周囲の枠部分が照光する、いわゆる枠照光を行なえるとともに、導光部材は、光源からの光を外周へ導くので、光源は、中央付近のみに位置させて設ければよく、光源の数を少なくすることができる。
【００１１】
本発明の一実施態様においては、前記光源は、前記押圧部材の前記操作面の背面の中央部に対向するように配置され、前記光源と前記背面との間に、前記導光部材が配置されるとともに、該導光部材は、透明な樹脂材料からなるレンズ部材である。
【００１２】
この実施態様によると、光源からの光を、該光源と押圧部材の背面との間に配置されたレンズ部材によって、外周側の周枠部に効率的に導くことができ、また、光源は、前記押圧部材の背面の中央部に対向するように、単一、あるいは、２個程度のチップＬＥＤなどを配置して構成できる。
【００１３】
本発明の好ましい実施態様においては、前記導光部材は、前記光源からの光を反射して前記周枠部に導く反射面を備えている。
【００１４】
この実施態様によると、反射面よって光源からの光の向きを変えて効率よく周枠部に導くことができる。
【００１５】
本発明の他の実施態様においては、前記導光部材は、該導光部材に形成されたテーパ孔を前記反射面として備え、前記テーパ孔は、前記光源からの光を、前記背面の外周側へ反射するものである。
【００１６】
ここで、孔（穴）は、貫通した孔でもよく、あるいは、貫通していない窪んだ孔でもよい。
【００１７】
この実施態様によると、押圧部材の背面の中央部に対向するように配置される光源からの光を、テーパ孔で反射させて前記押圧部材の外周側の周枠部に導くことができる。
【００１８】
本発明の好ましい実施態様においては、前記導光部材は、該導光部材の外周部に形成されたテーパ面を前記反射面として備え、前記テーパ面は、前記テーパ孔で反射されて前記背面の外周側に導かれた光を、前記操作面側に反射するものである。
【００１９】
この実施態様によると、押圧部材の背面側において、中央部の光源からの光を、テーパ孔で反射させて外周側の周枠部へ導き、この反射されて外周側の周枠部に導かれた光を、テーパ面で更に反射させて背面側から操作面側へ導くことができる。
【００２０】
本発明の他の実施態様においては、前記導光部材は、前記周枠部で囲まれた凹部を有し、前記押圧部材は、前記凹部に装着され、前記押圧部材の前記背面および前記導光部材の前記凹部には、前記装着の際の位置合わせ用マークがそれぞれ形成されている。
【００２１】
この実施態様によると、押圧部材を導光部材の凹部に装着する際に、押圧部材の背面の位置合わせ用マークを、透明の樹脂材料からなる導光部材の凹部の位置合わせ用マークに合わせて装着することができ、これによって、操作に必要な表示などが付されている押圧部材を正しい向きで装着することができる。
【００２２】
本発明の更に他の実施態様においては、前記操作プランジャに、前記導光部材を一体化して前記操作プランジャで前記導光部材を兼用するものである。
【００２３】
この実施態様によると、専用のレンズ部材を必要としないので、部品点数および組付け工数の節減に有効となる。
【００２４】
本発明の一実施態様においては、一端側が前記ベース部材に保持されるとともに、他端側が前記操作プランジャに連結された第１のレバーと、一端側が前記ベース部材に保持されるとともに、他端側が前記操作プランジャに連結された第２のレバーとを備え、前記第１，第２のレバーの中間部を交差状に組み合わせて前記他端側を、前記一端側に対して平行状態で前記操作方向に沿って変位可能とし、一方のレバーには、前記操作プランジャの変位によって弾性変形されるバネ部材を設けている。
【００２５】
この実施態様によると、第１，第２のレバーによって平行運動機構が構成され、操作プランジャが連結された前記両レバーの他端側が、ベース部材に保持された一端側に対して平行状態で操作方向に沿って変位可能とされるので、薄型化を図ることができるとともに、操作プランジャに連動する押圧部材を隅押ししても傾斜することなく変位することになる。また、操作プランジャの変位によって弾性変形されるバネ部材を設けているので、良好なクリック感を得ることができる。
【００２６】
本発明の更に他の実施態様においては、前記第１，第２の各レバーは、第１〜第４のアーム部が連続して大略矩形状にそれぞれ形成され、前記一端側が第１のアーム部とされるとともに、前記他端側が、前記第１のアーム部に対向する第３のアーム部とされ、前記両レバーは、一方のレバーの第３のアーム部が、他方のレバーの第１のアーム部と第３のアーム部との間に位置するように第２，第４のアーム部の中間部で交差状に組み合わされるとともに、復帰バネによって前記押圧操作に抗するように復帰付勢され、前記操作プランジャは、前記両レバーの前記第３のアーム部に着脱自在に連結されて前記第３のアーム部の昇降によって操作方向に沿って変位し、前記ベース部材は、組み合わされた前記両レバーで区画される領域内に、前記光源が実装された配線基板を着脱自在に収納する収納部を備えている。
【００２７】
この実施態様によると、各レバーは、第１〜第４のアーム部が連続した大略矩形状であるので、十分な強度を確保できるとともに、組み合わせた矩形の両レバーで区画される領域内の空間を有効に利用して照光用の光源が実装された配線基板を配置することができる。また、操作プランジャおよび配線基板は、着脱自在であるので、メンテナンス性に優れたものとなる。
【００２８】
本発明の他の実施態様においては、前記配線基板の裏面に、前記スイッチ本体としてのリーフスイッチを実装し、該リーフスイッチの操作片を前記第１または第２のいずれかのレバーの前記第３のアーム部で操作するものである。
【００２９】
この実施態様によると、配線基板の両面を有効に利用して小型化を図ることができ、また、前記両レバーは復帰付勢されているので、リーフスイッチの操作片を第３のアーム部の上に位置させて復帰時には、接点をオフさせ、押圧操作時には接点をオンさせることができる。
【００３０】
本発明の更に他の実施態様においては、前記バネ部材は、前記一方のレバーの前記第１のアーム部と他方のレバーの第３のアーム部との間に介装されるとともに、操作プランジャの押圧操作に伴う第３のアーム部の変位によって前記バネ部材の付勢方向が反転するものである。
【００３１】
この実施態様によると、操作プランジャの押圧操作に伴う第３のアーム部の変位によってバネ部材の付勢方向が反転するので、良好なクリック感を得ることができる。
【００３２】
【発明の実施の形態】
以下、本発明の実施の態様を図面に基づいて詳細に説明する。
【００３３】
（実施の形態１）
図１は、本発明の実施の形態に係る押しボタンスイッチの断面図であり、図２は、この押しボタンスイッチの分解斜視図である。
【００３４】
この実施の形態の押しボタンスイッチ１は、エレベータの乗り場壁面に取り付けられるエレベータ用の上方向あるいは下方向などの指示スイッチとして用いられる照光式の押しボタンスイッチである。
【００３５】
この押しボタンスイッチ１は、基本的には、操作面を有する押圧部材としてのキャップ２が装着された操作プランジャ３と、この操作プランジャ３を傾斜することなく操作方向（図１の上下方向）に沿って変位させる後述のリンク機構４と、照光用の光源としてのチップＬＥＤ５などの電子部品が表面に実装されるとともに、裏面にスイッチ本体としてのリーフスイッチ６が実装された配線基板７と、この配線基板７および上述のリンク機構４などを収納するベース部材８と、ベース部材８に外嵌されてネジ止めされるカバー９とを備えている。
【００３６】
この実施の形態では、操作プランジャ３は、チップＬＥＤ５からの光を導く導光部材としての機能を果たすことができるように、ポリカーボネート樹脂などの透明な樹脂材料で構成されており、その外周上端に突設形成した周枠部３ｄを備えており、この周枠部３ｄで囲まれた凹部にキャップ２が嵌め込まれて粘着テープ１０で貼付け固定されている。
【００３７】
すなわち、周枠部３ｄは、キャップ２の操作面の外周を外囲するものであり、上述の従来例のように、キャップ２の操作面全体を照光するのではなく、キャップ２の操作面を外囲する周枠部３ａを照光することによって、デザイン的にも優れた、いわゆる枠照光を行なうものである。
【００３８】
このため、操作プランジャ３は、チップＬＥＤ５からの光を導く導光部材としての機能を果たすために、その中心には、反射面を構成する上方へ外拡がりのテーパ孔ｈが形成されるとともに、このテーパ孔ｈの内奥部に前記チップＬＥＤ５が配備され、チップＬＥＤ５からの光がテーパ孔ｈの周面によって該テーパ孔ｈの周囲へ広がるように全反射されて外周側に導かれるようになっている。このテーパ孔ｈの傾斜角度は、中心に配置されたチップＬＥＤ５からの光を、キャップ２の外周側の周枠部３ｄへ効率的に反射させるために、４５度程度であるのが好ましい。このテーパ孔ｈは、下方へ外拡がりに形成してもよく、また、貫通しない窪んだテーパ状の孔であってもよい。
【００３９】
また、操作プランジャ３の周枠部３ｄの下端角部には、テーパ面ｓが形成され、テーパ孔ｈで全反射されて外周にまで導かれた光が更にテーパ面ｓで全反射されて、前記周枠部３ｄの上端に導かれるようになっている。このテーパ面ｓの傾斜角度は、キャップ２の背面側の光を、上方の操作面側へ効率的に導くために、４５度程度であるのが、好ましい。なお、このテーパ面ｓは、省略してもよい。
【００４０】
また、キャップ２の操作面の背面には、フィルムの貼付けや印刷によって白色の反射面を形成しており、テーパ孔ｈを通過した光をレンズ部材３０内に反射させて、周枠部３０ｄへ導く光量を確保するようにしている。
【００４１】
このように、操作プランジャ３は、中心に配備された単一のチップＬＥＤ５からの光を、テーパ孔ｈとテーパ面ｓとで反射して周枠部３ｄの上端全周に導く導光部材としての機能を有している。
【００４２】
かかる構成によって、後述のように、キャップ２を押圧操作して操作プランジャ３を介してリーフスイッチ６を作動させたときには、チップＬＥＤ５からの光を、キャップ２の操作面の外周を外囲する周枠部３ｄに導いてキャップ２の周囲を照光させる枠照光を行なえる。
【００４３】
この実施の形態では、操作プランジャ３の下面側の隅部の四カ所には、リンク機構４を構成する後述の第１，第２のレバー１２，１３に着脱自在に嵌合連結するための嵌合凹部３ａが延出形成されるとともに、カバー９に係合して操作プランジャ３が上方へ抜け出すのを防止する抜け止め用爪３ｂが二カ所ずつ両側（図２では一方のみ示されている）にそれぞれ形成されている。
【００４４】
キャップ２が装備された操作プランジャ３を、傾斜させることなく、操作方向に沿って変位させるリンク機構４は、第１，第２のレバー１２，１３と、これらレバー１２，１３を上方へ復帰付勢する二つの復帰バネ１４と、押圧操作時のクリック感を得るためのワイヤ状の感触用バネ１５とを備えている。各レバー１２，１３は、図３にも示されるように、第１〜第４のアーム部１２１〜１２４，１３１〜１３４が連続する大略矩形状に形成されており、第１のレバー１２の一端側である第１のアーム部１２１が、矩形のベース部材８の一辺側に摺動および回動可能に収納保持され、他端側である断面円形の第３のアーム部１２３が、操作プランジャ３の嵌合凹部３ａに嵌合連結され、また、第２のレバー１３の一端側である第１のアーム部１３１がベース部材８の対向辺側に摺動および回動可能に収納保持され、他端側である断面円形の第３のアーム部１３３が、操作プランジャ３の嵌合凹部３ａに嵌合連結される。
【００４５】
第１のレバー１２の互いに対向する第２，第４のアーム部１２２，１２４には、その中間位置に内方へ突出する係合突起１２２ａ，１２４ａが形成される一方（図３では一方のみ示されている）、第２のレバー１３の互いに対向する第２，第４のアーム部１３２，１３４には、その中間位置に、多少の横方向の摺動を許容できるように横方向に長い係合穴１３２ａ，１３４ａが形成され、この第２のレバー１３の係合穴１３２ａ，１３４ａに、第１のレバー１２の係合突起１２２ａ，１２４ａをそれぞれ係合させることにより、両レバー１２，１３が、交差状に組み合わせ連結される。この連結状態では、第１のレバー１２の第３のアーム部１２３が、第２のレバー１３の第２および第４のアーム部１３２，１３４の凹所１３２ｂ，１３４ｂに受け止められ、第２のレバー１３の第３のアーム部１３３が第１のレバー１２の第１のアーム部１２１よりも内側に位置することになる。
【００４６】
第１のレバー１２の互いに対向する第２，第４のアーム部１２２，１２４の中間部の外側位置には、下方が開放した保持壁１２２ｂ，１２４ｂが形成されるとともに、その上壁の下面には、ベース部材８の底面に形成された図２に示される保持用突起８ａとの間で復帰バネ１４を保持するための保持用突起１２２ｃ，１２４ｃが形成されている（図では一方のみ示されている）。また、第１のレバー１２の第２，第４のアーム部１２２，１２４の第３のアーム部１２３側の端部には、後述のようにして第２のレバー１３との間で、感触用バネ１５を保持するために、この感触用バネ１５の両端を受けるバネ受け部１２２ｄ，１２４ｄが形成されている。
【００４７】
また、第１のレバー１２の第３のアーム部１２３の軸方向の両端部には、環状の消音用のゴム１６が挿着される突起１２３ａが形成されている。この消音用のゴム１６は、第１，第２のレバー１２，１３の第２のアーム部１２２，１３２，第４のアーム部１２４，１３４が、復帰バネ１４の付勢力で復帰する際に、フランジ部１１に直接衝突することによる衝突音を消音するものである。
【００４８】
第２のレバー１３の第３のアーム部１３３の中央位置には、リーフスイッチ６の舌片状の操作片１７を受ける凹所１３３ａが形成されている。この第２のレバー１３の第２，第４のアーム部１３２，１３４には、第１のレバー１２の第３のアーム部１２３の両端を受けるための上述の凹所１３２ｂ，１３４ｂが形成されている。第２のレバー１３の第１のアーム部１３１の内側の中央位置には、感触用バネ１５の中間部を保持するための保持用突起１３１ａ，１３１ｂが、上下に形成されており、上側の突起１３１ａとその両側の下側の突起１３１ｂとによってワイヤ状の感触用バネ１５を保持するように構成されている。
【００４９】
また、第２のレバー１３の第３のアーム部１３３の軸方向の両端部には、環状の消音用のゴム１８が挿着される突起１３３ｂが形成されている。
【００５０】
この第１，第２のレバー１２，１３が第２，第４のアーム部１２２，１２４；１３２，１３４で連結されて復帰バネ１４と共にベース部材８に組み込まれる。このとき、第１のレバー１２の第１のアーム部１２１および第２のレバー１３の第１のアーム部１３１は、図１に示されるようにベース部材８のコの字状の収納部で操作方向（上下方向）の変位は阻止され、水平方向の摺動および回動が若干許容されるのみであるのに対して、操作プランジャ３の下端に嵌合連結された第１のレバー１２の第３のアーム部１２３および第２のレバー１３の第３のアーム部１３３は、操作方向に沿う変位、すなわち、昇降が許容され、復帰バネ１４による復帰位置が、前記第３のアーム部１２３，１３３に当接するベース部材８の第１，第３の仕切り壁８１，８３に形成された規制突起８１ａ，８３ａによって規制されるようになっている。
【００５１】
この第１，第２のレバー１２，１３からなるリンク機構４では、ベース部材８に保持された両レバー１２，１３の第１のアーム部１２１，１３１に対して、操作プランジャ３に嵌合連結された第３のアーム部１２３，１３３は、平行状態を維持しながら上下方向に変位可能な平行運動を行うものであり、これによって、操作プランジャ３は、ベース部材８に対して平行に傾くことなく操作方向に沿って変位することになる。
【００５２】
したがって、薄型化を図ることができるとともに、操作プランジャ３に装備されたキャップ２を隅押ししても傾くことなく操作方向に沿って変位することになり、良好な操作感触を得ることができる。
【００５３】
上方が開放されたベース部材８には、その中央位置に、第１〜第４の４つの仕切り壁８１〜８４が立設されて矩形の収納部１９が構成されており、この収納部１９に、裏面側にリーフスイッチ６、表面側にチップＬＥＤ５が実装された矩形の配線基板７が収納保持されるようになっている。第２，第４の仕切り壁８２，８４の上端の内側には、配線基板７を収納部１９内に保持する保持突起８２ａ，８４ａが形成されている（図２では一方のみ示されている）。上述の第１，第２のレバー１２，１３は、この４つの仕切り壁８１〜８４とその外側の周壁８ｂとの間に配置される。第１，第３の仕切り壁８１，８３の上端の外側には、復帰バネ１４によって上方へ復帰付勢されている第１のレバー１２の第３のアーム部１２３および第２のレバー１３の第３のアーム部１３３の復帰位置を規制する上述の規制突起８１ａ，８３ａが二カ所ずつ形成されている。また、第３の仕切り壁８３の中央部には、収納部１９に配置されたリーフスイッチ６の操作片１７を、収納部外に延出して第２のレバー１３の第３のアーム部１３３で受けることができるように、切欠２０が形成されている。
【００５４】
このベース部材８の四カ所の隅部の上端には、第１のレバー１２の第１のアーム部１２１および第２のレバー１３の第１のアーム部１３１の上方への変位を規制する規制部８ｃが形成されている。
【００５５】
このベース部材８の両側には、当該押しボタンスイッチ１をカバー９に取り付けるためネジ孔２１がそれぞれ２つずつ形成されている。
【００５６】
このベース部材２１の底面には、操作プランジャ３の抜け止め用爪３ｂが形成された両側の舌片３ｃ（図２では一方のみ示されている）に対応する位置に逃がしのための切欠２２が形成されており、この切欠２２に対応する位置には、消音用のゴムシート２３が設けられており、このゴムシート２３によって、操作プランジャ３の押圧操作時に、操作プランジャ３の舌片３ｃが、図示しないシャーシに直接衝突することによる衝突音を消音するものである。
【００５７】
感触用バネ１５は、第１のレバー１２の第３のアーム部１２３と第２のレバー１３の第１のアーム部１３１との間に、図４に示されるように保持されており、復帰位置（初期位置）では、図５（ａ）に示されるように感触用バネ１５は、第３のアーム部１２３の下方への変位に抗するように付勢しており、操作プランジャ３を押圧操作して第３のアーム部１２３が下方へ変位するに従ってその付勢力は増大し、図５（ｂ）に示されるように、第３のアーム部１２３と第１のアーム部１３１とが最も近接した中間位置でその付勢力が最大となり、その中間位置を越えて下方へ変位すると、図５（ｃ）に示されるように感触用バネ１５の付勢力は、第３のアーム部１２３を下方へ変位させる方向に反転作用することになり、これによって、良好なクリック感を得ることが可能となる。
【００５８】
図６は、操作感触を説明するためのストロークと荷重との関係を示す特性図であり、感触用バネ１５は、破線Ａで示されるように操作プランジャ３の押圧操作によって所定の中間位置で反転作用し、仮想線Ｂで示されるように押圧操作に応じて付勢力が増大する復帰バネ１４とを合成すると、実線Ｃで示される特性となり、良好なクリック感を得ることができる。
【００５９】
リーフスイッチ６は、内部に固定接点２４と可動接点２５とを備えており、通常は、接点がオンしており、可動接点２５が設けられている操作片１７が外部に延出されて第２のレバー１３の第３のアーム部１３３の中央部の凹所１３３ａに受け止め支持されており、この第３のアーム部１３３は、復帰バネ１４によって上方に復帰付勢されて復帰位置にあり、この復帰位置においては、操作片１７が上方へ持ち上げられて可動接点２５が固定接点２４から離間したオフ状態となっている。
【００６０】
この復帰位置にある初期状態から操作プランジャ３をキャップ２を介して押圧操作すると、上述の図５に示されるように、操作プランジャ３の下端に嵌合連結された第１のレバー１２の第３のアーム部１２３と第２のレバー１３の第３のアーム部１３３とが、両レバー１２，１３の第１のアーム部１２１，１３１に対して平行状態を保ちながら、すなわち、操作プランジャ３がベース部材８に対して平行状態を保ちながら下方へ変位し、これによって、リーフスイッチ６の操作片１７も下方へ変位して所定の位置に達すると、操作片１７に設けられている可動接点２５が固定接点２４に圧接してオンし、これによって、配線基板７の上面のＬＥＤチップ５が点灯するとともに、外部に出力を与えるようになっており、操作プランジャ３の押圧操作を解除すると、復帰バネ１４の付勢力で復帰位置に戻り、リーフスイッチ６もオフすることになる。
【００６１】
上述のように、操作プランジャ３は、第１，第２のレバー１２，１３に、嵌合凹部３ａを介して着脱自在に連結されるとともに、配線基板７は、ベース部材８の収納部１９に、保持突起８２ａ，８４ａを介し着脱自在に収納保持され、さらに、配線基板７の裏面側に実装されたリーフスイッチ６の操作片１７は、第２のレバー１３の上に配置されるので、上方から操作プランジャ３および配線基板７を、容易に着脱できることになり、チップＬＥＤ５やリーフスイッチ６の交換などのメンテナンス性に優れたものである。
【００６２】
（実施の形態２）
図７に、本発明の他の実施の形態に係る押しボタンスイッチの断面図が、また、図８に、その正面から見た斜視図、図９，１０に、その背面から見た斜視図が、また、図１１に、その分解した斜視図がそれぞれ示されている。
【００６３】
この実施の形態の押しボタンスイッチ１’は、ボタン操作部が上述の実施の形態と異なっているが、操作プランジャを傾斜することなく変位させるリンク機構などの主要部の構成は、基本的に上述の実施の形態と同様であり、同一機能を有する部品および部位には、対応する符号を付してその詳細な説明は省略する。
【００６４】
上述の実施の形態では、チップＬＥＤ５からの光を導いてキャップ２の外周を照光するための導光部材を、操作プランジャ３に一体成形して兼用しているが、この実施の形態では、操作プランジャ３’と、導光部材としてのレンズ部材３０とを別体に構成したものである。また、上述の実施の形態では、キャップ２は、操作面が矩形であったけれども、この実施の形態では、キャップ２’は、操作面が円形となっている。
【００６５】
この実施の形態のレンズ部材３０は、ポリカーボネートなどの透明の樹脂材料で構成されたものであり、上述の実施の形態と同様に、チップＬＥＤ５からの光を、該レンズ部材３０の周枠部３０ｄの上端に導くために反射面を構成するテーパ孔ｈおよびテーパ面ｓが備えられている。このテーパ孔ｈおよびテーパ面ｓの傾斜角度は、上述の実施の形態と同様に４５度としている。なお、テーパ孔ｈは、下方へ外拡がりに形成してもよく、また、貫通しない窪んだテーパ状の孔であってもよい。
【００６６】
一方、操作プランジャ３’は、中央が大きく開口されて形成され、その上面には、前記レンズ部材３０の一対の突起３０ａに係合する係合孔３’ｄを備えており、レンズ部材３０が、位置決めされた状態で粘着テープ２６で貼付け固着されるようになっている。
【００６７】
ここで、レンズ部材３０に形成される前記テーパ孔ｈは、径が大きすぎるとチップＬＥＤ５からの光を反射する量が少なくなり、径が小さすぎると反射面積が少なくなるので、キャップ２’の大きさ、チップＬＥＤ５の光量、等に応じて孔径を設定する必要がある。因みに、この実施の形態では、キャップ２’の外径が３２ｍｍ、レンズ部材３０の厚さが１．６ｍｍで、テーパ孔の大径部の直径を６．２ｍｍとしている。
【００６８】
また、周枠部３０ｄの上端には、テーパ面ｔが形成されて、背面から導かれてきた光を周枠部３０ｄの周囲へ拡散するとともに、周枠部３０ｄの上端面にシボ加工を施して光を一層拡散させるよう構成されている。
【００６９】
また、キャップ２’の操作面の背面には、フィルムの貼付けや印刷によって白色の反射面を形成し、テーパ孔ｈを通過した光をレンズ部材３０内に反射させて、周枠部３０ｄへ導く光量を確保するようにしている。また、操作プランジャ３’も白色の樹脂材料で形成することで、レンズ部材３０を通過した光を再びレンズ部材３０へ反射して光のロスを少なくするようにしている。この操作プランジャ３’には、レンズ部材３０のテーパ面ｓに対向するように、テーパ面ｗが形成されており、これによって、レンズ部材３０を通過した光を、再びレンズ部材３０内に反射させて、周枠部３０ｄへ導く光量を確保するようにしている。
【００７０】
このように、この実施の形態では、レンズ部材３０によって、チップＬＥＤ５からの光を、テーパ孔ｈおよびテーパ面ｓによって、キャップ２’の操作面を外囲する周枠部３０ｄに効率的に導いてキャップ２’の周囲を照光する枠照光を行なえることになる。
【００７１】
この実施の形態では、図１１中に示すように、前記キャップ２’の背面には、白地に黒で十字の位置合わせ用のマークｍ１が印刷等により形成されるとともに、レンズ部材３０にも十字状に位置合わせ用のマークｍ２が形成されており、ユーザーが表面デザインの異なるキャップ２’をレンズ部材３０に装着する際、マークｍ１，ｍ２を合わせることで、正しい向きにキャップ２’を装着することができるようになっている。
【００７２】
また、この実施の形態では、前記カバー９’の外周縁には、周枠部３０ｄを囲むようにステンレスなどの金属製の縁取り化粧リング２７が外嵌装着されて高級感のある外観をもたらすよう考慮されている。また、このカバー９’は、ベース部材８’に対して係合爪８’ｄと係合孔９’ａとで係合連結されるとともに、この押しボタンスイッチ１’をエレベータホールの壁面における操作パネルに嵌め込み装着するための係合爪８’ｅがベース部材８’の背面から突設されている。
【００７３】
また、ベース部材８’の背面は、防塵シート２８によって塞がれている。
【００７４】
なお、この押しボタンスイッチ１’は、照光用の電源線２本と接点信号線２本とからなるリード線２９を備えた１ａ接点タイプ〔図１２（ａ）参照〕と、照光用の電源線２本と接点信号線４本とからなるリード線２９を備えた２ａ接点タイプ〔図１２（ｂ）参照〕がある。図１２において、３１は、ダイオードＤ１，Ｄ２、トランジスタＴＲ１および抵抗Ｒ１，Ｒ２からなる定電流回路であり、ＺＤ１は、チップＬＥＤ５を保護するサージ吸収用のツェナーダイオードであり、３２は、上述のリーフスイッチ６の接点部であり、３３はコネクタである。
【００７５】
（その他の実施の形態）
上述の各実施形態では、照光用光源として単一のチップＬＥＤ５を使用した場合を例示したが、特に光量が要求される場合には、２個のチップＬＥＤ５をプランジャ３やレンズ３０の中心部内方に並列配備して実施することもできる。
【００７６】
上述の各実施の形態では、周枠部と該周枠部に光を導くための光路とを一つの部材で構成したけれども、本発明の他の実施の形態として、周枠部と該周枠部に光を導くための光路とを、個別の部材で構成してもよい。
【００７７】
また、液晶や光ファイバを用いて枠照光を行なえるようにしてもよい。
【００７８】
上述の実施の形態では、感触用バネ１５を、ワイヤ状としたけれども、圧縮コイルバネであってもよい。
【００７９】
上述の実施の形態では、リーフスイッチを用いたけれども、リーフスイッチに代えてマイクロスイッチやその他のスイッチを用いてもよい。
【００８０】
【発明の効果】
以上のように本発明によれば、押圧操作する押圧部材の操作面の外周を外囲する周枠部を照光する、すなわち、押しボタンの枠を照光する枠照光としたので、押しボタン全体を照光していた押しボタンスイッチに比べてデザイン的に優れたものとなり、商品価値が高いものとなる。
【００８１】
しかも、導光部材によって、光源からの光を外周側の周枠部に導くので、中央付近に数少ないチップＬＥＤなどの光源を配置すればよく、押しボタン全体をを照光するために数多くのチップＬＥＤを光源として使用していた従来の押しボタンスイッチに比べて使用するチップＬＥＤを少なくすることができ、コスト低減にも有効となる。
【図面の簡単な説明】
【図１】本発明の実施の形態に係る押しボタンスイッチの取り付け状態を示す断面図である。
【図２】図１の押しボタンスイッチの分解斜視図である。
【図３】図２のリンク機構の分解斜視図である。
【図４】感触用バネの取り付け状態を示す斜視図である。
【図５】動作状態を示す要部の断面図である。
【図６】ストロークと荷重との関係を示す特性図である。
【図７】本発明の他の実施の形態に係る押しボタンスイッチの取り付け状態を示す断面図である。
【図８】図７の実施の形態に係る押しボタンスイッチの正面から見た斜視図である。
【図９】防塵シート装着前の押しボタンスイッチの背面から見た斜視図である。
【図１０】防塵シートが装着された押しボタンスイッチの背面から見た斜視図である。
【図１１】押しボタンスイッチの分解斜視図である。
【図１２】押しボタンスイッチの回路図である。
【符号の説明】
２，２’  キャップ  ３，３’  操作プランジャ
５  チップＬＥＤ    ６  リーフスイッチ
７  配線基板        ８，８’  ベース部材
９，９’カバー      ３ｄ，３０ｄ  周枠部
１２  第１のレバー  １３  第２のレバー
１４  復帰バネ      １５  感触用バネ
１７  操作片        ３０  レンズ
ｈ  テーパ孔        ｓ，ｗ  テーパ面
【図１】
2005011672.tif 000003
【図２】
2005011672.tif 000004
【図３】
2005011672.tif 000005
【図４】
2005011672.tif 000006
【図５】
2005011672.tif 000007
【図６】
2005011672.tif 000008
【図７】
2005011672.tif 000009
【図８】
2005011672.tif 000010
【図９】
2005011672.tif 000011
【図１０】
2005011672.tif 000012
【図１１】
2005011672.tif 000013
【図１２】
2005011672.tif 000014